(57)【要約】【課題】カード挿入時の磁気リード性を高める。【解決手段】カード挿入口２を形成するフレーム３にカード挿入方向Ｆに入り込んだ形状のカード挿入・取出用の凹部４を設け、凹部４からカード５をカード挿入口２よりカード停止位置まで挿入し、その後カード５を引き抜くように構成して成る手動式カードリーダ１において、フレーム３両側に形成しカード５を挿入する際にガイドするガイド１９と、凹部４のカード引き抜き方向Ｂ側に配置されカード５を検知する検知センサ１２と、この検知センサ１２が配置されたのと反対側のガイド１９側に取り付けられカード５を検知センサ１２側のガイド１９に付勢する付勢部材２０とを備えると共に、この付勢部材２０のカード引き抜き方向側端２０ａはカード挿入口２よりもカード挿入方向Ｆ側である。【選択図】          図１
2004185511.tif 000002
【特許請求の範囲】
【請求項１】
カード挿入口を形成するフレームにカード挿入方向に入り込んだ形状のカード挿入・取出用の凹部を設け、前記凹部からカードを前記カード挿入口よりカード停止位置まで挿入し、その後前記カードを引き抜くように構成して成る手動式カードリーダにおいて、前記フレーム両側に形成し前記カードを挿入する際にガイドするガイドと、前記凹部のカード引き抜き方向側に配置され前記カードを検知する検知センサと、この検知センサが配置されたのと反対側のガイド側に取り付けられ前記カードを前記検知センサ側の前記ガイドに付勢する付勢部材とを備えると共に、この付勢部材のカード引き抜き方向側端は前記カード挿入口よりもカード挿入方向側であることを特徴とする手動式カードリーダ。
【請求項２】
前記付勢部材のカード引き抜き方向側端は、前記カード挿入口と前記検知センサとの間に位置していることを特徴とする請求項１記載の手動式カードリーダ。
【発明の詳細な説明】
【０００１】
【発明の属する技術分野】
本発明は、磁気カードやＩＣカード等のカードに対して情報を読み書きする手動式カードリーダに関する。更に詳述すると、本発明は手動式カードリーダのカードガイド機構に関する。
【０００２】
【従来の技術】
この種の手動式カードリーダは、図６に示すように、カード挿入口１００を形成するフレーム１０１にカード挿入方向（図中矢印）に入り込んだ形状のカード挿入・取出用の凹部１０２を備えている。そして、この凹部１０２からカードをカード挿入口１００よりカード停止位置まで挿入し、その後カードを引き抜くものとされている。
【０００３】
さらに、磁気ヘッド１０３によるカードのリード性を高めるために、カード基準面１０４の反対側にカードをカード基準面１０４に押圧する寄せレバー１０５を設ける場合がある。この寄せレバー１０５は、付勢ばね１０６によりカード基準面１０４側に付勢されている。また、カードの一方の側部はカード基準面１０４のみによりガイドされると共に、他方の側部は寄せレバー１０５のみによりガイドされる。
【０００４】
【発明が解決しようとする課題】
しかしながら、上述した手動式カードリーダでは、カードの一方の側部は可動な寄せレバー１０５のみによりガイドされるので、カードの挿入時にカードの左右方向への向きが定まり難く磁気リードエラーを生じてしまうおそれがある。このため、磁気ヘッド１０３によるリードはカード挿入時では無くカード引き抜き時に行わなければならない。
【０００５】
そこで、本発明は、カード挿入時の磁気リード性を高めることができる手動式カードリーダを提供することを目的とする。
【０００６】
【課題を解決するための手段】
かかる目的を達成するため、請求項１記載の発明は、カード挿入口を形成するフレームにカード挿入方向に入り込んだ形状のカード挿入・取出用の凹部を設け、凹部からカードをカード挿入口よりカード停止位置まで挿入し、その後カードを引き抜くように構成して成る手動式カードリーダにおいて、フレーム両側に形成しカードを挿入する際にガイドするガイドと、凹部のカード引き抜き方向側に配置されカードを検知する検知センサと、この検知センサが配置されたのと反対側のガイド側に取り付けられカードを検知センサ側のガイドに付勢する付勢部材とを備えると共に、この付勢部材のカード引き抜き方向側端はカード挿入口よりもカード挿入方向側であるようにしている。
【０００７】
したがって、カード挿入時にはカードはフレームから成るガイドにより両側部をガイドされるので、従来のように挿入時のカードが可動部材によりガイドされる場合に比べてカードの挿入向きを容易に適正に定めることができる。すなわち、カード挿入時の左右方向への傾きが抑えられる。
【０００８】
また、請求項２記載の発明は、請求項１記載の手動式カードリーダにおいて、付勢部材のカード引き抜き方向側端は、カード挿入口と検知センサとの間に位置している。したがって、カードを挿入して付勢部材に当接した後に検知センサにより検出されるので、検知センサでの検出時にはカードの移動速度は一定になる。このため、カードを挿入しながらの磁気リード性を高めることができる。
【０００９】
【発明の実施の形態】
以下、本発明の構成を図面に示す最良の形態に基づいて詳細に説明する。図１から図５に本発明に係る手動式カードリーダ１の実施形態の一例を示している。この手動式カードリーダ１は、カード挿入口２を形成するフレーム３にカード挿入方向Ｆに入り込んだ形状のカード挿入・取出用の凹部４を設け、凹部４からカード５をカード挿入口２よりカード停止位置まで挿入し、その後カード５を引き抜くように構成して成るものである。そして、この手動式カードリーダ１は、フレーム３の両側に形成しカード５を挿入する際にガイドするガイド１９と、凹部４のカード引き抜き方向側Ｂに配置されカード５を検知する検知センサ１２と、この検知センサ１２が配置されたのと反対側のガイド１９側に取り付けられカード５を検知センサ１２側のガイド１９に付勢する付勢部材２０とを備えている。そして、付勢部材２０のカード引き抜き方向側端２０ａはカード挿入口２よりもカード挿入方向Ｆ側であるようにしている。このため、カード挿入時にはカード５はフレーム３から成るガイド１９により両側部をガイドされるので、カード５の挿入向きを容易に適正に定めることができる。
【００１０】
付勢部材２０は、カード挿入完了位置近傍を支持軸１４として回転可能に支持されたレバー２１と、該レバー２１をカード５側に付勢する第１の付勢手段９とを備えている。第１の付勢手段９は、図４に示すように引っ張りコイルばねから成る。
【００１１】
また、付勢部材２０のカード引き抜き方向側端２０ａは、カード挿入口２と検知センサ１２との間に位置している。このため、カード５を挿入して付勢部材２０に当接した後に検知センサ１２により検出されるので、検知センサ１２での検出時にはカード５の移動速度は一定になる。
【００１２】
さらに、この手動式カードリーダ１では、凹部４よりカードリーダ１内部に異物の挿入を阻止するシャッタ６と、シャッタ６の一端に接離可能に設けられた第１のロック手段７と、シャッタ６の他端に接離可能に設けられた第２のロック手段８とを備えている。このため、シャッタ６を備えているので外部からの異物の侵入を防ぐことができる。また、２つのロック手段７，８を備えているのでロック力を強固にすることができる。さらに、２つのロック手段７，８はシャッタ６の両端部に形成されているので、カード状のものを使用しないとロックを外せないようになり、セキュリティ性を高めることができる。
【００１３】
第１のロック手段７は付勢部材２０のレバー２１に形成されている。また、この手動式カードリーダ１には、第２のロック手段８をシャッタ６に当接してロックする方向に付勢する第２の付勢手段１０とが設けられている。そして、第１の付勢手段９の付勢力は第２の付勢手段１０の付勢力より大きいようにしている。このため、２つのロック手段７，８の間にカード５を挿入したときに、カード５は第１の付勢手段９により第２のロック手段８側に押圧される。こうして第２のロック手段８側を基準面１１にすることにより、カード５を常に基準面１１に寄せることができるようになる。
【００１４】
さらに、本実施形態では検知センサ１２は、シャッタ６よりも外側に配置された磁気ヘッドから成るプリヘッドとしている。また、第１のロック手段７はカード５を挿入してから検知センサ１２に到達する前にロック解除するものであると共に、第２のロック手段８はカード５が検知センサ１２を通過した後にシャッタ６に到達する直前にロック解除するものとしている。このため、戻し力の大きい第１のロック手段７をカード５が検知センサ１２を通過する前に作動させているので、検知センサ１２での磁気ストライプ読取性能を高めることができる。また、第２のロック手段８をカード５がシャッタ６に到達する直前に作動させているので、異物の挿入などを極力防ぐことができる。
【００１５】
シャッタ６はカード走行路を完全に塞ぐ全面シャッタとしている。このシャッタ６には、本体フレーム３の軸受け部に係合する回転支点軸が一体形成されている。このため、部品点数を最小限に抑えることができる。回転支点軸には、ねじりコイルばねから成るシャッタ戻しばね１３が設けられている。このシャッタ戻しばね１３の各腕部はシャッタ６および本体フレーム３に引っ掛けてられている。シャッタ６は常に閉状態に付勢されている。
【００１６】
ここで、シャッタ６および本体フレーム３のばね収容部の軸方向長さは、シャッタ戻しばね１３の長さよりも若干短く設定されている。このため、シャッタ６にはばね収容部と反対側に軸方向に沿った付勢力が与えられる。よって、シャッタ６が本体フレーム３から脱落することが防止される。すなわち、シャッタ戻しばね１３がシャッタ６の位置保持機能をも有している。
【００１７】
この第１のロック手段７には、図４に示すように第１のロック手段７の動作を検知するセンサ１５が設けられている。このため、センサ１５を設けた第１のロック手段７によりカード５の挿入を検出することができるので、この第１のロック手段７ではシャッタロック部材とカード挿入検知部材とを兼用することができる。よって、部品点数を最小限に抑えることができると共に、磁気ストライプを有しないカードを挿入するときに検知センサ１２でカード５の挿入を検知できないときでもカード５の挿入を検知することができる。本実施形態ではセンサ１５はフォトインタラプタであると共に、第１のロック手段７にはセンサ１５をオンオフする遮蔽部１６が形成されている。よって、カード５が挿入されて第１のロック手段７が回転することによりセンサ１５のオンオフが切り換わってカード５の挿入または未挿入の状態が検出される。
【００１８】
第２のロック手段８は、図５に示すようにシャッタ６のカード挿入方向手前側を中心軸１７として回転可能に支持されている。第２の付勢手段１０は、ねじりコイルばねから成る。また、第２のロック手段８のシャッタ６へのロック係合部１８は、カード走行面からカード厚さ方向にずらして設けられている。これにより、ロック係合部１８によってカード５の走行が阻害されることを防止できる。
【００１９】
上述した手動式カードリーダ１の動作を以下に説明する。
【００２０】
カード５を挿入していない状態では、シャッタ６は閉じた状態であると共に、各ロック手段７，８はシャッタ６を閉じた状態にロックするように各付勢手段９，１０により付勢されている。この状態では、コインや針金等の異物でシャッタ６を押しても開かない。
【００２１】
そして、カード５をカード挿入口２に挿入すると、カード５は左右方向に傾くことなくフレーム３によって案内される。さらに、カード５は付勢部材２０のレバー２１を押し広げる。これにより、カード５は第１の付勢手段９により基準面１１側に押圧されるようになるので、検知センサ１２による磁気リードの精度を高めることができる。
【００２２】
また、カード５の挿入により、第１のロック手段７がカード５に押されてシャッタ６のロックを解除する状態にまで回転する。さらにカード５を挿入すると、第２のロック手段８がカード５に押されてシャッタ６のロックを解除する状態にまで回転する。このときにはシャッタ６のロックが完全に解除されるのでシャッタ６は開放可能になる。よって、カード５がシャッタ６まで到達するとカード５によりシャッタ６が押し開けられる。
【００２３】
一方、挿入されたカード５を引き抜くと、カード５がシャッタ６から抜け出たときにシャッタ６はシャッタ戻しばね１３によって閉じる。さらにカード５を抜くと第２のロック手段８のカード５による押圧が無くなり、第２のロック手段８が第２の付勢手段１０により付勢されてシャッタ６をロックする。また、カード５を更に抜くと第１のロック手段７のカード５による押圧が無くなり、第１のロック手段７が第１の付勢手段９により付勢されてシャッタ６をロックする。
【００２４】
なお、上述の形態は本発明の好適な形態の一例ではあるがこれに限定されるものではなく本発明の要旨を逸脱しない範囲において種々変形実施可能である。例えば、本実施形態では付勢部材２０はレバー２１と第１の付勢手段９とを備えたものとしているが、これには限られず単一の板ばねから成るようにしても良い。
【００２５】
また、本実施形態では付勢部材２０に連動するシャッタ機構を設けているが、これには限られずシャッタ機構は無くても良い。
【００２６】
【発明の効果】
以上説明したように、請求項１記載の手動式カードリーダによれば、カード挿入時にはカードはフレームから成るガイドにより両側部をガイドされるので、従来のように挿入時のカードが可動部材によりガイドされる場合に比べてカードの挿入向きを容易に適正に定めることができる。すなわち、カード挿入時の左右方向への傾きが抑えられる。よって、挿入時の磁気リード性を高めることができる。
【００２７】
また、請求項２記載の手動式カードリーダによれば、カードを挿入して付勢部材に当接した後に検知センサにより検出されるので、検知センサでの検出時にはカードの移動速度は一定になる。すなわち、磁気リード中にカードが付勢部材に当接してカード速度が変化することを防止できる。よって、磁気リード中のカードの速度変動を抑制して磁気リード性を高めることができる。
【図面の簡単な説明】
【図１】本発明に係る手動式カードリーダにカードを挿入する状態を示す概略の平面図である。
【図２】手動式カードリーダにカードを挿入した状態を示す斜視図である。
【図３】手動式カードリーダからカードを抜き取った状態を示す斜視図である。
【図４】第１のロック手段の近傍を示す斜視図である。
【図５】第２のロック手段の近傍を示す斜視図である。
【図６】従来の手動式カードリーダを示す平面図である。
【符号の説明】
１  手動式カードリーダ
２  カード挿入口
３  フレーム
４  凹部
５  カード
１２  検知センサ
１９  ガイド
２０  付勢部材
【図１】
2004185511.tif 000003
【図２】
2004185511.tif 000004
【図３】
2004185511.tif 000005
【図４】
2004185511.tif 000006
【図５】
2004185511.tif 000007
【図６】
2004185511.tif 000008